(57)【特許請求の範囲】
【請求項１】
スイッチ接点を設けたスイッチ部材と、前記スイッチ部材上に設置され且つヒンジを介して前記スイッチ接点を押圧する押圧部を設けたケースと、前記押圧部の上に配置されるキートップとを具備し、
前記ケースの上にキートップを載置して前記ケースの押圧部の上に設けた取付部にキートップを一体に固定すると同時にケースの外側面に設けたガイド溝にキートップに設けたガイド部材を上下動自在に係合させることによってケースに対してキートップを上下動自在にガイドし、前記ケースは前記押圧部がスイッチ接点の上部を押圧した状態でスイッチ部材上に設置され、
さらに前記スイッチ部材は、前記ケースに設けた押圧部が押圧する上側のスイッチ接点と、上側のスイッチ接点を載置する取付部材と、取付部材の下側に設置されこの取付部材の下面に設けた押圧部が押圧する下側のスイッチ接点とを具備し、これによって上下二段にスイッチ接点を設置して構成されていることを特徴とするスイッチ機構。
【請求項２】
前記ケースは合成樹脂の一体成形品であり、このケースの中央に前記スイッチ部材の取付部材を収納する開口部を設け、この開口部の中央に前記取付部と押圧部とを配置するようにこれら取付部と押圧部とを薄板状のヒンジによって支持したことを特徴とする請求項１に記載のスイッチ機構。
【請求項３】
前記ケースのガイド溝は、ケースの対向する一対の外側面に形成され、且つ前記キートップのガイド部材は前記一対のガイド溝にそれぞれ係合するように一対設けられ、さらに前記ガイド溝の上部には前記キートップのガイド部材に設けた係止部を係止する係止部が設けられていることを特徴とする請求項１又は２に記載のスイッチ機構。
【発明の詳細な説明】
【０００１】
【発明の属する技術分野】
本発明は、各種電子機器に使用される押圧型のスイッチ機構に関するものである。
【０００２】
【従来の技術】
従来、電子機器の外装ケースからキートップを突出してこれをオンするタイプのスイッチ機構として、図６に示すような構造のものがある。即ちこのスイッチ機構は、予めプリント配線基板等からなるスイッチ部材８０の上にスイッチ接点８１を形成し、その上にキートップ８３を配置すると共に、スイッチ部材８０とキートップ８３の間を弾発部材８７で弾発した状態でキートップ８３をケース９０の収納部９１内に収納し、その際ケース９０に設けた開口９３からキートップ８３の上部を突出し、ケース９０をスイッチ部材８０に固定することによって構成されている。
【０００３】
この種のスイッチ機構は、スイッチ部材８０にケース９０を取り付けた状態のものが製品として流通し、例えばこれを他の組み立て工場や他のセットメーカーにおいてその上に表装ケース１００を被せて最終製品とされる。その際キートップ８３は表装ケース１００に設けた開口１０１から突出する。そしてキートップ８３を押圧すればキートップ８３は弾発部材８７の弾発力に抗して下降し、その押圧部８４がスイッチ接点８１をオンする。キートップ８３の押圧を解除すれば、弾発部材８７の弾発力によってキートップ８３は元の位置に自動復帰し、スイッチ接点８１はオフする。
【０００４】
ところで上述の様に表装ケース１００は後から取り付けるので、その組み立てが容易に行えるように、キートップ８３の外周と開口１０１の間には所定の隙間を設けておかなければならない。
【０００５】
一方キートップ８３はこれを触ったときにグラグラしないようにするため、その押圧方向と、押圧方向に垂直な面方向の両方向に対してガタを防止しなければならない。
【０００６】
そしてキートップ８３の押圧方向のガタをなくすため、キートップ８３の外周に設けた鍔部８５の上面を収納部９１の開口９３の下面側の部分に当接するように弾発部材８７によって付勢している。
【０００７】
またキートップ８３の押圧方向に垂直な面方向のガタをなくすため、キートップ８３の外周側面と開口９３の間の隙間寸法を小さくし、この部分でガタをなくすようにしている。
【０００８】
しかしながら上記従来例の場合、弾発部材８７を用いているので部品点数が多くてコストダウンが図れず組み立てが煩雑で、さらにスイッチ機構の薄型化や小型化が図れない。
【０００９】
またキートップ８３の外周側面を開口９３の内周側面でガイドするためにその隙間を小さくしすぎると、キートップ８３の上下動がスムーズに行えなくなる。また開口９３の上下方向の厚みは薄いのでガイドが十分にできず、特にキートップ８３の動作中にガタが生じ、逆にガイドを十分に行うために開口９３の厚みを厚くすると薄型化が阻害される。
【００１０】
【発明が解決しようとする課題】
本発明は上述の点に鑑みてなされたものでありその目的は、キートップの各方向のガタを確実に無くし且つ小型化・薄型化が図れ、部品点数も減少できるスイッチ機構を提供することにある。
【００１１】
【課題を解決するための手段】
本願請求項１に記載の発明は、スイッチ接点を設けたスイッチ部材と、前記スイッチ部材上に設置され且つヒンジを介して前記スイッチ接点を押圧する押圧部を設けたケースと、前記押圧部の上に配置されるキートップとを具備し、前記ケースの上にキートップを載置して前記ケースの押圧部の上に設けた取付部にキートップを一体に固定すると同時にケースの外側面に設けたガイド溝にキートップに設けたガイド部材を上下動自在に係合させることによってケースに対してキートップを上下動自在にガイドし、前記ケースは前記押圧部がスイッチ接点の上部を押圧した状態でスイッチ部材上に設置され、さらに前記スイッチ部材は、前記ケースに設けた押圧部が押圧する上側のスイッチ接点と、上側のスイッチ接点を載置する取付部材と、取付部材の下側に設置されこの取付部材の下面に設けた押圧部が押圧する下側のスイッチ接点とを具備し、これによって上下二段にスイッチ接点を設置して構成されていることを特徴とするスイッチ機構にある。
本願請求項２に記載の発明は、前記ケースは合成樹脂の一体成形品であり、このケースの中央に前記スイッチ部材の取付部材を収納する開口部を設け、この開口部の中央に前記取付部と押圧部とを配置するようにこれら取付部と押圧部とを薄板状のヒンジによって支持したことを特徴とする請求項１に記載のスイッチ機構にある。
本願請求項３に記載の発明は、前記ケースのガイド溝は、ケースの対向する一対の外側面に形成され、且つ前記キートップのガイド部材は前記一対のガイド溝にそれぞれ係合するように一対設けられ、さらに前記ガイド溝の上部には前記キートップのガイド部材に設けた係止部を係止する係止部が設けられていることを特徴とする請求項１又は２に記載のスイッチ機構にある。
【００１２】
【発明の実施の形態】
以下、本発明の実施形態を図面に基づいて詳細に説明する。
図１は本発明の一実施形態にかかるスイッチ機構の側断面図、図２は分解斜視図である。両図に示すようにこのスイッチ機構は、取付板１０の上に、スイッチ部材２０とケース６０とキートップ９０とを取り付けて構成されている。以下各構成部品について説明する。
【００１３】
取付板１０は略長方形状の金属板であって、その四隅に取付穴１１を設け、またその外周からは４本の取付片１３を突出して上方向に折り曲げて構成されている。取り付け片１３の上部には折り曲げ部１５が設けられている。
【００１４】
図３はスイッチ部材２０の展開図である。同図に示すようにスイッチ部材２０は、合成樹脂フイルム製のフレキシブル基板２１と、２枚のドーム形状の弾性金属板からなるクリック板５０，５１と、取付部材５３とを具備している。
【００１５】
フレキシブル基板２１は、一対の基板部２３，２５と、一対の基板部２７，２９とを有し、各基板部２３，２５，２７，２９間を接続部３１，３３，３５で連結し、基板部２９から引き出し部３７を引き出して構成されている。各基板部２３，２５，２７，２９の中央には導電ペーストを印刷形成することで接点パターン３９，４１，４３，４５が形成されている。各接点パターン３９，４１，４３，４５からは図示しない回路パターンが引き出されて引き出し部３７に引き出されている。また基板部２７，２９の四隅には、穴又は溝からなる固定部４７が設けられている。
【００１６】
取付部材５３はモールド樹脂製であり、図３ではその下面側が上向きとなって示されている。そしてその下面中央には押圧部５５が設けられ、また図示はしないがその上面側には前記基板部２３，２５を収納固定する凹部５７（図２参照）が設けられている。
【００１７】
そしてこのスイッチ部材２０の組み立ては、まず基板部２５，２９の接点パターン４１，４５を設けた面の裏面側にクリック板５０，５１を取り付け、次に基板部２３を基板部２５の上に折り返して重ね合わせて貼り付けたもの（図示はしていないが両基板部２３，２５の間にはスペーサ層が設けられ、両接点パターン３９，４１は所定の隙間を介して対向している）を取り付け部材５３の凹部５７内に収納固定して図４に示す状態とする。次に基板部２７の上に基板部２９を重ね合わせて貼り付け（図示はしていないが両基板部２７，２９の間にはスペーサ層が設けられ、両接点パターン４３，４５は所定の隙間を介して対向している）、さらに基板部２９の上（接点パターン４５を設けた面の裏面側）に取付部材５３を重ね合わせることで前記クリック板５１の上に押圧部５５を当接する。
【００１８】
即ちこのスイッチ部材２０は、図１に示すように、一対の基板部２７，２９とクリック板５１によって下側のスイッチ接点が構成され、一対の基板部２３，２５とクリック板５０によって上側のスイッチ接点が構成される。
【００１９】
図２に戻ってケース６０は、合成樹脂の一体成形品であり、略矩形状に形成され、その中央には前記スイッチ部材２０の取付部材５３を収納する大きさの開口部６１が設けられ、開口部６１の中央に上方向には取付部６３を下方向には押圧部６５（図１参照）をそれぞれ突出してなる部材が配置されるように薄板状の二本のヒンジ６７，６７によってこれを支持して構成されている。
【００２０】
またケース６０の対向する一対の外側面には、二本ずつの突条６９を設けることでその間にガイド溝７１，７１を形成している。ガイド溝７１，７１の上部には突出する係止部７３，７３が設けられている。
【００２１】
またケース６０の上面四隅には、前記取付板１０の折り曲げ部１５を係止する凹状の係止部７５が設けられている。またケース６０の下面四隅には４本の突起７７（図では２本のみ示す）が突設されている。
【００２２】
図５はキートップ９０を裏面側から見た斜視図である。図２及び図５に示すようにキートップ９０は合成樹脂を略円形に成形して構成されており、その外周には円形の鍔部９１が設けられ、また鍔部９１の外周の対向する位置から下方向に向かってガイド爪（ガイド部材）９３，９３を突出している。各ガイド爪９３，９３の先端には内側に向けて突出する爪からなる係止部９５，９５が設けられている。
【００２３】
またキートップ９０の下面中央には円筒状の固定部材９７が突出しており、その中央の穴を固定部９９としている。
【００２４】
次にこのスイッチ機構を組み立てるには、まずケース６０の上にキートップ９０を載置することで両者を一体化する。即ちケース６０の取付部６３をキートップ９０の固定部９９に挿入し、またキートップ９０の両ガイド爪９３，９３をケース６０のガイド溝７１，７１に挿入して係止部９５，９５を係止部７３，７３に係止（スナップイン係合）しておく。
【００２５】
次に取付板１０の上にスイッチ部材２０を載置し、さらにその上にキートップ９０を取り付けたケース６０を載置し、その際ケース６０の各突起７７をスイッチ部材２０の各固定部４７と取付板１０の各取付穴１１に挿入し、取付板１０の折り曲げ部１５をケース６０の係止部７５に折り曲げて係止する。これによってこのスイッチ機構が完成する。
【００２６】
このときスイッチ機構は図１に示すように、ケース６０の押圧部６５の下面が、スイッチ部材２０のクリック板５０の中央を、接点パターン３９，４１（図３参照）が形成するスイッチ接点と、接点パターン４３，４５が形成するスイッチ接点（図３参照）を共にオンしない程度に押圧した状態で、つまりプリロードをかけた状態で、係止部９５，９５を係止部７３，７３に係止している。押圧部６５は撓み易いヒンジ６７，６７によって支持されているので、クリック板５０を多少押圧してもこれを反転することなく、容易にプリロードをかけることができる。
【００２７】
このように押圧部６５にプリロードをかけることができるので、キートップ９０の押圧方向へのガタを確実になくすことができる。
【００２８】
そして図１に示すキートップ９０を押圧すれば、ヒンジ６７，６７が撓んでキートップ９０と共に押圧部６５が下降し、上側のクリック板５０が反転して基板部２３，２５の接点パターン３９，４１が形成するスイッチ接点がオンし、さらにキートップ９０を押圧すれば、基板部２７，２９の接点パターン４３，４５が形成するスイッチ接点がオンする。
【００２９】
このときキートップ９０はキートップ９０の両ガイド爪９３，９３がケース６０のガイド溝７１，７１内をガイドされながら上下動するので、キートップ９０を押圧していないときばかりか、キートップ９０を押圧操作している最中においても、キートップ６０の押圧方向に対して垂直な面方向のガタを確実に防止できる。
【００３０】
つまりこの実施形態においては、ケース６０の押圧部６５がスイッチ接点をオンしない程度にその上部を押圧した状態で設置されるとともに、ケース６０の外部にキートップ９０を上下動自在にガイドするガイド機構を設けたので、キートップ９０の押圧方向のガタと押圧方向に垂直な面方向のガタの両者を同時になくすことができる。
【００３１】
なおキートップ９０にプリロードをかけるだけなら、キートップ９０とケース６０を一体に成形することもできるが、この実施形態の場合、押圧方向に垂直な面内のガタを確実になくすためにキートップ９０とケース６０の間をケース６０の外部においてガイド機構によってガイドする構造とするため、ケース６０とキートップ９０とを一体化せず、別部材で構成し、その代わりに押圧部６５の上部にキートップ９０を固定することとしている。つまりこの実施形態はキートップ９０の押圧方向及び押圧方向に垂直な方向のガタを同時に確実に防止するために、キートップ９０とケース６０を別部材で構成したのである。
【００３２】
以上本発明の実施形態を詳細に説明したが本発明はこれら実施形態に限定されるものではなく、特許請求の範囲及び明細書と図面全体に記載した技術的思想の範囲内において種々の変形が可能である。なお実施形態中に現れる各部材の形状、数、材質はこれらに限定されるものではなく、本発明の効果を奏する形状、数、材質であればどのような形状、数、材質であっても良い。
【００３３】
例えばスイッチ部材をフレキシブル基板ではなく硬質の基板で構成した場合は、取付板１０は不用である。また取付部材１０，スイッチ部材２０，ケース６０，キートップ９０の形状や構造は種々の変形が可能である。また上記実施形態ではスイッチ部材２０として二段にスイッチ接点を配置したものを用いたが、一段又は三段以上のスイッチ接点を配置したものでも良い。
【００３４】
【発明の効果】
以上詳細に説明したように本発明によれば以下のような優れた効果を有する。
▲１▼ケースの押圧部がスイッチ接点をオンしない程度にスイッチ接点を押圧した状態でスイッチ部材上に設置されているので、その上に取り付けるキートップの上下方向のガタを確実に防止できる。また別途弾発部材を取り付ける必要がないので部品点数の削減、組み立て作業の容易化、スイッチ機構の小型・薄型化が図れる。
【００３５】
▲２▼ケースの外部においてキートップを上下動自在にガイドするガイド機構を設けたので、キートップの押圧方向に垂直な面方向のガタを確実に防止できる。
【図面の簡単な説明】
【図１】本発明の一実施形態にかかるスイッチ機構の側断面図である。
【図２】本発明の一実施形態にかかるスイッチ機構の分解斜視図である。
【図３】スイッチ部材２０の展開図である。
【図４】スイッチ部材２０の組み立て方法説明図である。
【図５】キートップ９０を裏面側から見た斜視図である。
【図６】従来のスイッチ機構の側断面図である。
【符号の説明】
１０  取付板
２０  スイッチ部材
２１  フレキシブル基板
２３，２５，２７，２９  基板部
３９，４１，４３，４５  接点パターン
５０，５１  クリック板
５３  取付部材
５５  押圧部
６０  ケース
６３  取付部
６５  押圧部
６７，６７  ヒンジ
７１，７１  ガイド溝
７３，７３  係止部
９０  キートップ
９３，９３  ガイド爪（ガイド部材）
９５，９５  係止部
９７  固定部材
９９  固定部
【図１】
0003748187.tif 000002
【図２】
0003748187.tif 000003
【図３】
0003748187.tif 000004
【図４】
0003748187.tif 000005
【図５】
0003748187.tif 000006
【図６】
0003748187.tif 000007